(57)【要約】【課題】映像、音声、データ等の各コンテンツ間の同期処理を容易に行うことができるトランスコーディング装置を提供する。【解決手段】デコーダ部１において、入力符号化ストリームを映像符号化ストリームと音声符号化ストリームとデータストリームとに分割し、映像符号化ストリームと音声符号化ストリームとを復号するとともにＰＴＳ情報を抽出し、映像符号化ストリームを復号して生成した映像データの垂直ブランキング領域にＰＴＳ情報を挿入し、エンコーダ部２において、映像データの垂直ブランキング領域に挿入されたＰＴＳ情報を抽出し、このＰＴＳ情報を用いて同期処理を行いながら映像符号化ストリームと音声符号化ストリームとデータストリームとを多重化して符号化ストリームを生成する。【選択図】図１
2007251335.tif 000002
【特許請求の範囲】
【請求項１】
入力された第１の符号化ストリームを復号するデコーダと、このデコーダで復号されたデータを符号化するエンコーダとを備えるトランスコーディング装置であって、
前記デコーダは、
前記第１の符号化ストリームを、第１の映像符号化ストリームと第１の音声符号化ストリームとその他のデータストリームとに分割して出力する分割手段と、
この分割手段から出力された前記第１の映像符号化ストリームと前記第１の音声符号化ストリームとをそれぞれ復号して映像データと音声データとを生成し、前記第１の映像符号化ストリームと前記第１の音声符号化ストリームとに含まれる同期情報を参照して、生成した前記映像データと前記音声データとの同期が取られた状態で出力するとともに、前記同期情報を抽出する復号手段と、
この復号手段で抽出された前記同期情報を前記復号手段で生成された前記映像データの垂直ブランキング領域に挿入する挿入手段とを備え、
前記エンコーダは、
前記映像データの垂直ブランキング領域に挿入された前記同期情報を抽出する抽出手段と、
前記復号手段で生成された前記映像データと前記音声データとをそれぞれ符号化して第２の映像符号化ストリームと第２の音声符号化ストリームとを生成するとともに、前記第２の映像符号化ストリームと前記第２の音声符号化ストリームとに前記抽出手段で抽出した前記同期情報を記述する符号化手段と、
この符号化手段で前記第２の映像符号化ストリームと前記第２の音声符号化ストリームに記述された前記同期情報と、前記分割手段から出力された前記その他のデータストリームに含まれる前記同期情報とを参照して同期処理を行いながら、前記第２の映像符号化ストリームと前記第２の音声符号化ストリームと前記その他のデータストリームとを多重化して第２の符号化ストリームを生成する多重化手段と
を備えることを特徴とするトランスコーディング装置。
【発明の詳細な説明】
【技術分野】
【０００１】
本発明は、符号化データの符号化レートを変換するトランスコーディング装置に関する。
【背景技術】
【０００２】
近年、テレビジョンプログラムを制作および放送する放送局においては、ビデオデータを圧縮／符号化処理するために、ＭＰＥＧ（Moving Picture Experts Group）技術が一般的に使われるようになってきた。特に、ビデオデータをランダムアクセス可能な記録媒体素材に記録する場合、およびビデオデータをケーブルや衛星を介して伝送する場合には、このＭＰＥＧ技術がデファクトスタンダードになりつつある。
【０００３】
また、近年では、デジタル放送の開始などもあり、テレビ放送などを記録する家庭用の録画機も、ＭＰＥＧ技術を使用して、デジタル記録をするものが増えてきた。これらの録画機では、ＨＤＤ（Hard Disk Drive）のような大容量記録媒体に一旦高い符号化レートで記録しておき、その後ＤＶＤ（Digital Versatile Disc）などのリムーバブルメディアに符号化レートを変換（トランスコーディング）して保存するという使い方が一般的になりつつある。
【０００４】
ＭＰＥＧ規格に基づく符号化処理および復号処理は、１００％可逆の処理ではないことはよく知られている。つまり、符号化レートの変換などのためにデコード処理およびエンコード処理を繰り返すと、その処理の度に、画質が劣化してしまう。そこで、符号化履歴を映像データとともに伝送し、それを利用して符号化および復号を実行することにより画質の劣化を防ぐ技術が特許文献１に開示されている。
【特許文献１】特開２００１−１６９２９２号公報
【発明の開示】
【発明が解決しようとする課題】
【０００５】
上記のように、符号化および復号を実行することで画質の劣化を極力防ぐ方法はすでに開示されている。しかし、デコード処理とエンコード処理とを別々のハードウェアで行うトランスコーディング装置においては、入力符号化ストリーム内の各コンテンツ間の同期処理において、まだ問題が残っている。
【０００６】
例えば、入力符号化ストリーム内に、復号・符号化を行う映像、音声に加えて字幕等のデータストリームが含まれている場合、映像コンテンツと音声コンテンツとの間の同期処理はデコーダおよびエンコーダにより行われるが、再符号化済みの映像ストリームおよび音声ストリームと、その他のストリーム（字幕等の復号・符号化を伴わないデータストリーム）との同期を取るのが困難であるという問題があった。
【０００７】
つまり、ＭＰＥＧ−ＴＳ上では、各コンテンツには同期情報が付加されているため、デコード処理とエンコード処理とを同一のハードウェアで行う場合では、デコード処理において各コンテンツ間の同期は容易にとることができる。しかし、デコード処理とエンコード処理とを別々のハードウェアで行う場合のように、入力符号化ストリームをデマルチプレクサにおいて分解し、分解されたコンテンツをデコーダの外部に出力する場合、各コンテンツは同期情報を持たないため、後で同期をとることが困難であった。
【０００８】
本発明は上記に鑑みてなされたもので、デコード処理とエンコード処理とを別々のハードウェアで行うトランスコーディング装置において、トランスコーディングを行う際、入力符号化ストリームに含まれる映像、音声、データ等の各コンテンツ間の同期処理を容易に行うことができるトランスコーディング装置を提供することを目的とする。
【課題を解決するための手段】
【０００９】
本発明のトランスコーディング装置は、入力された第１の符号化ストリームを復号するデコーダと、このデコーダで復号されたデータを符号化するエンコーダとを備えるトランスコーディング装置であって、前記デコーダは、前記第１の符号化ストリームを、第１の映像符号化ストリームと第１の音声符号化ストリームとその他のデータストリームとに分割して出力する分割手段と、この分割手段から出力された前記第１の映像符号化ストリームと前記第１の音声符号化ストリームとをそれぞれ復号して映像データと音声データとを生成し、前記第１の映像符号化ストリームと前記第１の音声符号化ストリームとに含まれる同期情報を参照して、生成した前記映像データと前記音声データとの同期が取られた状態で出力するとともに、前記同期情報を抽出する復号手段と、この復号手段で抽出された前記同期情報を前記復号手段で生成された前記映像データの垂直ブランキング領域に挿入する挿入手段とを備え、前記エンコーダは、前記映像データの垂直ブランキング領域に挿入された前記同期情報を抽出する抽出手段と、前記復号手段で生成された前記映像データと前記音声データとをそれぞれ符号化して第２の映像符号化ストリームと第２の音声符号化ストリームとを生成するとともに、前記第２の映像符号化ストリームと前記第２の音声符号化ストリームとに前記抽出手段で抽出した前記同期情報を記述する符号化手段と、この符号化手段で前記第２の映像符号化ストリームと前記第２の音声符号化ストリームに記述された前記同期情報と、前記分割手段から出力された前記その他のデータストリームに含まれる前記同期情報とを参照して同期処理を行いながら、前記第２の映像符号化ストリームと前記第２の音声符号化ストリームと前記その他のデータストリームとを多重化して第２の符号化ストリームを生成する多重化手段とを備えることを特徴とする。
【発明の効果】
【００１０】
本発明によれば、デコーダにおいて、入力符号化ストリームを復号するとともに、入力符号化ストリームから同期情報を抽出し、入力符号化ストリームを復号して生成した映像データの垂直ブランキング領域にこの同期情報を挿入し、エンコーダにおいて、映像データの垂直ブランキング領域に挿入された同期情報を抽出し、この同期情報を用いて同期処理を行いながら符号化ストリームを生成するので、デコード処理とエンコード処理とを別々のハードウェアで行うトランスコーディング装置において、トランスコーディングを行う際、入力ストリームに含まれる映像、音声、データ等の各コンテンツ間の同期処理を容易に行うことができる。
【発明を実施するための最良の形態】
【００１１】
以下、本発明のトランスコーディング装置を実施するための最良の形態について、図面を参照して説明する。
【００１２】
図１は本発明の一実施の形態に係るトランスコーディング装置の構成を示すブロック図である。図１に示すように本実施の形態のトランスコーディング装置は、入力された符号化ストリームを復号し、映像データ、音声データおよびその他のデータストリームを出力するデコーダ部１と、デコーダ部１からの映像データ、音声データおよびその他のデータストリームを符号化し、符号化ストリームを出力するエンコーダ部２とを備える。
【００１３】
デコーダ部１は、入力された符号化ストリームを、その構成要素（映像、音声、データ等の符号化ストリーム）に分割するデマルチプレクサ１１と、デマルチプレクサ１１で分割された映像符号化ストリーム、音声符号化ストリームを復号するとともに、同期情報を各符号化ストリームから抽出する復号部１２と、復号部１２で抽出された同期情報を所定の形式に変換し、復号された映像データの所定の位置に同期情報を挿入して出力するＶＢＩ挿入部１３とを備える。
【００１４】
エンコーダ部２は、デコーダ部１から入力される映像データの所定の位置に挿入された同期情報を抽出し、利用可能な形式に変換するＶＢＩ抽出部２１と、デコーダ部１からの映像データ、音声データを再符号化する符号化部２２と、符号化部２２で再符号化して生成された映像符号化ストリーム、音声符号化ストリームと、デマルチプレクサ１１で分割されたその他のデータストリームとを多重化するマルチプレクサ２３とを備える。
【００１５】
次に、本実施の形態に係るトランスコーディング装置の動作を説明する。以下の説明において、入力符号化ストリームは、ＭＰＥＧ−２で符号化された映像符号化ストリーム、音声符号化ストリームおよびデータストリームを各１つ有するものとする。そして、映像符号化ストリームと音声符号化ストリームについて復号・再符号化による符号化レート変換処理を行い、データコンテンツは無変換のまま、符号化レートが変換された映像符号化ストリーム、音声符号化ストリームと多重化し、出力するものとする。
【００１６】
まず、デコーダ部１の動作について説明する。デコーダ部１に符号化ストリームが入力されると、デマルチプレクサ１１は、入力された符号化ストリームを、その構成要素に分割する。図２（ａ）は入力符号化ストリームの構成を示す図、図２（ｂ）は分割後の各符号化ストリームの構成を示す図である。デマルチプレクサ１１は、入力符号化ストリームを、図２（ｂ）に示すように、映像符号化ストリームと音声符号化ストリームとデータストリームとに分割する。
【００１７】
そして、デマルチプレクサ１１は、映像符号化ストリームと音声符号化ストリームとを復号部１２に出力する。データストリームは復号・再符号化による符号化レート変換処理を行わないため、エンコーダ部２のマルチプレクサ２３に出力する。
【００１８】
次に、復号部１２は、デマルチプレクサ１１から入力された映像符号化ストリームと音声符号化ストリームとをそれぞれ復号して、映像データと音声データとを生成する。
【００１９】
ここで、復号部１２は、復号の際に、映像、音声それぞれの同期情報を示すＰＴＳ（Presentation Time Stamp）情報を参照し、出力される映像、音声の同期が取られた状態で、映像データ、音声データとしてＶＢＩ挿入部１３に出力する。上記のＰＴＳ情報は、ＭＰＥＧ−２の符号化ストリームにおいて、映像符号化ストリーム、音声符号化ストリーム、データストリームのそれぞれに含まれているものである。
【００２０】
また、復号部１２は、映像データと音声データの同期処理に使用したＰＴＳ情報を抽出し、映像データ、音声データとともにＶＢＩ挿入部１３に出力する。
【００２１】
次に、ＶＢＩ挿入部１３は、復号部１２から入力されたＰＴＳ情報を、図３に示す映像データのV blanking領域（垂直ブランキング領域）３に挿入できる形式に変換し、V blanking領域３にＰＴＳ情報を挿入し、映像データと音声データとを出力する。
【００２２】
次に、エンコーダ部２の動作について説明する。ＶＢＩ抽出部２１は、デコーダ部１から映像データと音声データとが入力されると、映像データのV blanking領域３からＰＴＳ情報を抽出し、抽出したＰＴＳ情報と映像データと音声データとを出力する。
【００２３】
そして、符号化部２２は、入力された映像データと音声データとを符号化する。このとき、出力する映像符号化ストリームと音声符号化ストリームとの中に記述するＰＴＳ情報には、ＶＢＩ抽出部２１で抽出したＰＴＳ情報を記述する。
【００２４】
そして、マルチプレクサ２３で、符号化部２２から出力された映像符号化ストリームと音声符号化ストリームに記述されているＰＴＳ情報と、データストリームに含まれるＰＴＳ情報とを参照して同期処理を行いながら、映像符号化ストリームと音声符号化ストリームとデータストリームとを多重化し、一つの符号化ストリームとして出力する。
【００２５】
このように、本実施の形態のトランスコーディング装置によれば、デコーダ部１において、入力符号化ストリームを映像符号化ストリームと音声符号化ストリームとデータストリームとに分割し、映像符号化ストリームと音声符号化ストリームとを復号するとともにＰＴＳ情報を抽出し、映像符号化ストリームを復号して生成した映像データのV blanking領域３にＰＴＳ情報を挿入し、エンコーダ部２において、映像データのV blanking領域３に挿入されたＰＴＳ情報を抽出し、このＰＴＳ情報を用いて同期処理を行いながら映像符号化ストリームと音声符号化ストリームとデータストリームとを多重化して符号化ストリームを生成するので、トランスコーディング処理を行った後でも、出力される符号化ストリーム内の各要素間の同期は保たれる。このため、デコード処理とエンコード処理とを別々のハードウェアで行うトランスコーディング装置において、トランスコーディングを行う際、入力ストリームに含まれる映像、音声、データ等の各コンテンツ間の同期処理を容易に行うことができる。
【００２６】
なお、上記では、説明の簡略化のため、入力符号化ストリームは、ＭＰＥＧ−２で符号化された映像符号化ストリーム、音声符号化ストリームおよびデータストリームを各１つ有するものとしたが、映像符号化ストリーム、音声符号化ストリームおよびデータストリームをそれぞれ複数個もつ場合でも、同様の処理を行うことで、入力ストリームに含まれる映像、音声、データ等の各コンテンツ間の同期の保たれたトランスコーディング処理を行うことができる。
【００２７】
また、上記の説明では、入力符号化ストリームの圧縮符号化形式をＭＰＥＧ−２としているが、他の圧縮符号化形式でもよい。
【図面の簡単な説明】
【００２８】
【図１】本発明の一実施の形態に係るトランスコーディング装置の構成を示すブロック図である。
【図２】（ａ）は入力符号化ストリームの構成を示す図、（ｂ）は分割後の各符号化ストリームの構成を示す図である。
【図３】V Blanking領域を説明するための図である。
【符号の説明】
【００２９】
１    デコーダ部
２    エンコーダ部
３    V blanking領域
１１    デマルチプレクサ
１２    復号部
１３    ＶＢＩ挿入部
２１    ＶＢＩ抽出部
２２    符号化部
２３    マルチプレクサ
【図１】
2007251335.tif 000003
【図２】
2007251335.tif 000004
【図３】
2007251335.tif 000005